(57)【特許請求の範囲】
【請求項１】
入賞時に賞球制御基板に対し賞球払出コマンドをコードとデータとに分けて出力する賞球払出コマンド出力手段と、前記賞球制御基板に対しコード出力中及びデータ出力中に各々割込要求信号を出力する割込要求信号出力手段と、電源投入時に前記賞球制御基板に対し特殊コマンドを出力する特殊コマンド出力手段とを備える主基板と、
前記各々の割込要求信号に基づいて前記コード又は前記データ又は前記特殊コマンドを受信する受信手段と、該受信手段により受信した受信データをコマンド履歴データとして記憶するコマンド履歴データ記憶手段と、前記受信手段により受信した受信データをデータ判定用データとして記憶するデータ判定用データ記憶手段と、前回の割込要求信号に基づき前記コマンド履歴データ記憶手段により記憶されたコマンド履歴データをコード判定用データとして記憶するコード判定用データ記憶手段と、前記コード判定用データが賞球払出コマンドのコードでありかつ前記データ判定用データが賞球払出コマンドのデータであるとき、賞球払出装置に対し、前記データによって指定される払出個数分の賞球の払出を指示する払出指示手段とを備える賞球制御基板と
を備える賞球払出制御装置において、
前記賞球制御基板に、
電源遮断時に前記主基板から出力されているコード又はデータを電源遮断時データとして記憶する電源遮断時データ記憶手段と、
電源復旧後の最初の割込要求信号に基づく受信データが特殊コマンドであるとき、前記コマンド履歴データ記憶手段により記憶されたコマンド履歴データを前記電源遮断時データに書き替えるコマンド履歴データ書替手段と、
電源復旧後の最初の割込要求信号に基づく受信データが特殊コマンドであるとき、前記データ判定用データ記憶手段により記憶されたデータ判定用データを前記電源遮断時データに書き替える第１のデータ判定用データ書替手段と、
電源復旧後の最初の割込要求信号に基づく受信データが賞球払出コマンドのコードであり、かつ前記コマンド履歴データがコードであるとき、前記データ判定用データ記憶手段により記憶されたデータ判定用データを前記電源遮断時データに書き替える第２のデータ判定用データ書替手段と、
電源復旧後の最初の割込要求信号に基づく受信データが賞球払出コマンドのデータであり、かつ前記コマンド履歴データがデータであるとき、前記コード判定用データ記憶手段により記憶されたコード判定用データを前記電源遮断時データに書き替えるコード判定用データ書替手段と
を設けることを特徴とする賞球払出制御装置。
【発明の詳細な説明】
【０００１】
【発明の属する技術分野】
本発明は、賞球払出制御装置、詳しくは、パチンコ遊技機、スロットマシン等遊技機において賞球（パチンコ遊技機における遊技球の他、スロットマシンにおけるメダルを含む。）の払出を制御する賞球払出制御装置に関する。
【０００２】
【従来の技術】
遊技機は、賞球払出制御装置を備えている。賞球払出制御装置は、入賞時（入賞時とは、パチンコ遊技機において遊技球が遊技盤面の入賞口に入賞したり、スロットマシンにおいて複数のシンボルが揃ったときなどをいう。）、賞球制御基板に対し賞球払出コマンドを出力している状態で割込要求信号を出力する主基板と、割込要求信号に基づいて賞球払出コマンドの受信処理を実行し、受信した賞球払出コマンドに基づいて賞球の払出の許否及び払出個数を決定する賞球制御基板とを備える。
【０００３】
具体的には、主基板は、入賞時に賞球制御基板に対し賞球払出コマンドをコードとデータとに分けて出力する賞球払出コマンド出力手段と、賞球制御基板に対しコード出力中及びデータ出力中に各々割込要求信号を出力する割込要求信号出力手段と、電源投入時に賞球制御基板に対し特殊コマンドを出力する特殊コマンド出力手段とを備え、また、賞球制御基板は、各々の割込要求信号に基づいてコード又はデータ又は特殊コマンドを受信する受信手段と、受信手段により受信した受信データをコマンド履歴データとして記憶するコマンド履歴データ記憶手段と、受信手段により受信した受信データをデータ判定用データとして記憶するデータ判定用データ記憶手段と、前回の割込要求信号に基づきコマンド履歴データ記憶手段により記憶されたコマンド履歴データをコード判定用データとして記憶するコード判定用データ記憶手段と、コード判定用データが賞球払出コマンドのコードでありかつデータ判定用データが賞球払出コマンドのデータであるとき、賞球払出装置に対し、データによって指定される払出個数分の賞球の払出を指示する払出指示手段とを備える。
【０００４】
【発明が解決しようとする課題】
しかしながら、従来の遊技機において、賞球払出コマンドを出力している最中に停電等により電源が遮断されると、電源が復旧したときにこの賞球払出コマンドに基づく賞球の払出が行われない場合が生じることが判明した。
【０００５】
本発明は、上記のような従来の問題点を解決し、賞球払出コマンドの出力中に電源が遮断してその後電源が復旧したとき、上記賞球払出コマンドに基づく賞球の払出を確実に行うことができる賞球払出制御装置を提供することを目的とする。また、主基板の負担を増大させることなく賞球の払出を確実に行うことを目的とする。
【０００６】
【課題を解決するための手段】
本発明の賞球払出制御装置は、図１に示すように、
入賞時に賞球制御基板３００に対し賞球払出コマンドをコードとデータとに分けて出力する賞球払出コマンド出力手段２０１と、前記賞球制御基板３００に対しコード出力中及びデータ出力中に各々割込要求信号を出力する割込要求信号出力手段２０２と、電源投入時に前記賞球制御基板３００に対し特殊コマンドを出力する特殊コマンド出力手段２０３とを備える主基板２００と、
前記各々の割込要求信号に基づいて前記コード又は前記データ又は前記特殊コマンドを受信する受信手段３０１と、該受信手段３０１により受信した受信データをコマンド履歴データとして記憶するコマンド履歴データ記憶手段３０２と、前記受信手段３０１により受信した受信データをデータ判定用データとして記憶するデータ判定用データ記憶手段３０３と、前回の割込要求信号に基づき前記コマンド履歴データ記憶手段３０２により記憶されたコマンド履歴データをコード判定用データとして記憶するコード判定用データ記憶手段３０４と、前記コード判定用データが賞球払出コマンドのコードでありかつ前記データ判定用データが賞球払出コマンドのデータであるとき、賞球払出装置５００に対し、前記データによって指定される払出個数分の賞球の払出を指示する払出指示手段３０５とを備える賞球制御基板３００と
を備える賞球払出制御装置において、
前記賞球制御基板３００に、
電源遮断時に前記主基板２００から出力されているコード又はデータを電源遮断時データとして記憶する電源遮断時データ記憶手段３０６と、
電源復旧後の最初の割込要求信号に基づく受信データが特殊コマンドであるとき、前記コマンド履歴データ記憶手段３０２により記憶されたコマンド履歴データを前記電源遮断時データに書き替えるコマンド履歴データ書替手段３０７と、
電源復旧後の最初の割込要求信号に基づく受信データが特殊コマンドであるとき、前記データ判定用データ記憶手段３０３により記憶されたデータ判定用データを前記電源遮断時データに書き替える第１のデータ判定用データ書替手段３０８と、
電源復旧後の最初の割込要求信号に基づく受信データが賞球払出コマンドのコードであり、かつ前記コマンド履歴データがコードであるとき、前記データ判定用データ記憶手段３０３により記憶されたデータ判定用データを前記電源遮断時データに書き替える第２のデータ判定用データ書替手段３０９と、
電源復旧後の最初の割込要求信号に基づく受信データが賞球払出コマンドのデータであり、かつ前記コマンド履歴データがデータであるとき、前記コード判定用データ記憶手段３０４により記憶されたコード判定用データを前記電源遮断時データに書き替えるコード判定用データ書替手段３１０と
を設けることを特徴とする。
【０００８】
【発明の実施の形態】
以下、本発明の一実施形態を図２〜図２２に基づいて説明する。
【０００９】
図２は、一実施形態に係る賞球払出制御装置のブロック図、図３は、賞球払出制御装置の賞球制御基板が実行する主制御処理の内容を示すフローチャート、図４は、同じく賞球制御基板が実行する電源遮断処理の内容を示すフローチャート、図５は、同じく賞球制御基板が実行するコマンド受信処理の内容を示すフローチャート、図６〜図１６は、それぞれコマンド受信処理を個々の受信パターンに対応させて説明するためのタイミングチャート、図１７〜図２２は、図６〜図１６に示すコマンド受信処理を分かり易く説明するための説明図を示す。
【００１０】
図２において、賞球払出制御装置は、電源基板１００、主基板２００、賞球制御基板３００、入賞球検出スイッチ４００及び賞球払出装置５００を備える。
【００１１】
(1) 電源基板１００
電源基板１００は、主基板２００及び賞球制御基板３００に対し通常時の電源を供給する他、電源遮断時バックアップ電源を供給する。
【００１２】
電源基板１００は電圧低下監視回路１１を備える。電圧低下監視回路１１は、停電等により電圧が低下したことを検出すると、主基板２００及び賞球制御基板３００に対しＮＭＩ（最も優先度の高い割込）信号を送信する。主基板２００は、ＮＭＩ信号を受信すると、その時点の遊技情報をＲＡＭ２３に記憶するなどのバックアップ処理を行う。また、賞球制御基板３００は、ＮＭＩ信号を受信すると、後述するように、主基板２００から出力されている賞球払出コマンドのコード又はデータを電源遮断時データとしてＲＡＭ３３に記憶する処理などを行う。
【００１３】
(2) 主基板２００
主基板２００は、遊技盤に設けられた入賞口に入賞した遊技球を検出する入賞球検出スイッチ４００と電気的に接続されている。
【００１４】
主基板２００は、ＣＰＵ２１、ＲＯＭ２２、ＲＡＭ２３、入力ポート２４及び出力ポート２５を備え、入賞球検出スイッチ４００から検出信号を受信すると、この受信した検出信号に応じて遊技球の払出個数を判定し、払出を指定するコードと払出個数を指定するデータとで構成される賞球払出コマンドをコードとデータとに分けて順に賞球制御基板３００に対し出力する。ここで、賞球払出コマンドは例えば下記表１に示すように構成される。
【００１５】
【表１】
0003747402.tif 000002
【００１６】
また、主基板２００は、コードを出力している状態及びデータを出力している状態でそれぞれ割込要求信号を賞球制御基板３００に対し出力する（例えば図６参照）。
【００１７】
さらに、主基板２００は、電源投入直後（電源復旧直後を含む。）には、常に特殊コマンド（例えば「００」）を賞球制御基板３００に対し出力する。
【００１８】
(3) 賞球制御基板３００
賞球制御基板３００は、賞球払出装置５００と電気的に接続されている。なお、賞球払出装置５００は、払出モータ又は払出ソレノイドなどを備え、賞球（遊技球又はメダル等）の払出を行う装置である。
【００１９】
賞球制御基板３００は、ＣＰＵ３１、ＲＯＭ３２、ＲＡＭ３３、入力ポート３４及び出力ポート３５を備え、図３に示す主制御処理、図４に示す電源遮断処理及び図５に示すコマンド受信処理を実行する。なお、以下の処理説明においては、賞球払出コマンドを「Ｆ００５」とし、つまり賞球払出コマンドのコードを「Ｆ０」、データを「０５」とし、かつ、特殊コマンドを「００」として説明する。
【００２０】
▲１▼主制御処理（図３）
主制御処理は、賞球制御基板３００が通常時つまり電源基板１００から通常の電源供給を受けているときに実行される。
【００２１】
この主制御処理においては、まず電源投入時に所定の初期設定を行う（Ｓ１）。その後は、ＲＡＭ３３に獲得した遊技球数が記憶されているかどうか、換言すると、払出すべき遊技球が有るかどうかを判定する（Ｓ２）。払出すべき遊技球が有る場合には、賞球払出装置５００の例えば払出モータを駆動して遊技球の払出を開始し（Ｓ３）、払い出した遊技球が払出計数スイッチを通過するたびに獲得遊技球数を（１）だけ減算して記憶を更新してゆき（Ｓ４、５）、獲得遊技球数の記憶が０になると払出モータを停止させて遊技球の払出を終了する（Ｓ６、７）。そして、獲得遊技球数の記憶が有る間、上記処理を繰り返し実行する。
【００２２】
▲２▼電源遮断処理（図４）
電源遮断処理は、電源基板１００から主基板２００及び賞球制御基板３００に対する通常の電源供給が遮断し、ＮＭＩ信号を受信したときに実行される。
【００２３】
この電源遮断処理においては、コマンド受信ポートのデータつまり主基板２００が出力している賞球払出コマンド「Ｆ００５」のコード「Ｆ０」又はデータ「０５」を電源遮断時データとしてＲＡＭ３３に記憶し（Ｓ１１）、次に賞球払出装置５００の動作状態、つまり、未払出分の賞球数をＲＡＭ３３に記憶して（Ｓ１２）、電源遮断処理を終了する。
【００２４】
▲３▼コマンド受信処理（図５）
コマンド受信処理は、賞球制御基板３００が主基板２００から送信されてくる割込要求信号を受信するたびに実行する処理である。
【００２５】
このコマンド受信処理においては、まず受信ポートのデータを受信する（Ｓ２１）。すなわち、主基板２００が出力している賞球払出コマンド「Ｆ００５」のコード「Ｆ０」又はデータ「０５」を受信する（ただし、特殊コマンド「００」が受信データとなる場合もある（図７、９、１２、１４参照）。）。
【００２６】
次に、前回受信したデータ（コマンド履歴データ）をコード判定用データとして用意する（Ｓ２２）。すなわち、前回のコマンド受信処理において受信しコマンド履歴データとしてＲＡＭ３３に記憶されている賞球払出コマンド「Ｆ００５」のコード「Ｆ０」又はデータ「０５」をコード判定用データとしてＲＡＭ３３に記憶する。
【００２７】
次に、受信データをコマンド履歴データとして記憶する（Ｓ２３）。すなわち、今回のコマンド受信処理において受信したコード「Ｆ０」又はデータ「０５」（場合によっては特殊コマンド「００」）をコマンド履歴データとしてＲＡＭ３３に記憶する。
【００２８】
次に、受信データをデータ判定用データとして用意する（Ｓ２４）。すなわち、今回のコマンド受信処理において受信したコード「Ｆ０」又はデータ「０５」（場合によっては特殊コマンド「００」）をデータ判定用データとしてＲＡＭ３３に記憶する。
【００２９】
次に、データ判定用データが電源遮断による特殊コマンドか否かを判定する（Ｓ２５）。すなわち、ＲＡＭ３３からデータ判定用データを読み出し、この読み出したデータ判定用データが特殊コマンド「００」かどうかを判定する。
【００３０】
(1) データ判定用データが特殊コマンド「００」である場合（以下、ケース１という。）
上述した電源遮断時データを正規のコマンドとしデータ判定用データとして用意する（Ｓ２６）。すなわち、ＲＡＭ３３から電源遮断時データを読み出し、この読み出した電源遮断時データをデータ判定用データとしてＲＡＭ３３に書き込む。換言すると、データ判定用データを特殊コマンド「００」から電源遮断時データへと書き替える。このとき、ＲＡＭ３３に電源遮断時データとして記憶されていたデータはクリアする。
【００３１】
次に、データ判定用データをコマンド履歴データとして記憶する（Ｓ２７）。すなわち、ＲＡＭ３３からデータ判定用データを読み出し、この読み出したデータ判定用データをコマンド履歴データとしてＲＡＭ３３に書き込む。換言すると、コマンド履歴データを特殊コマンド「００」から電源遮断時データへと書き替える。
【００３２】
したがって、ケース１の場合、▲１▼電源遮断時データがコード「Ｆ０」であるときには、コード判定用データは、通常、電源遮断前（前回受信）の受信データがデータ「０５」であるためデータ「０５」となり、また、データ判定用データはコード「Ｆ０」、コマンド履歴データはコード「Ｆ０」となり（図７、９、１８参照）、▲２▼電源遮断時データがデータ「０５」であるときには、コード判定用データは、電源遮断前（前回受信）の受信データがコード「Ｆ０」であるためコード「Ｆ０」となり、また、データ判定用データはデータ「０５」、コマンド履歴データはデータ「０５」となる（図１２、１４、２０参照）。
【００３３】
その後、後述するステップＳ３２へ移行する。
【００３４】
(2) データ判定用データが特殊コマンド「００」でない場合
コード判定用データ及びデータ判定用データがデータか否かを判定する（Ｓ２８）。すなわち、ＲＡＭ３３からコード判定用データ及びデータ判定用データを読み出し、これらの読み出したコード判定用データ及びデータ判定用データが共にデータ「０５」かどうかを判定する。
【００３５】
▲１▼コード判定用データ及びデータ判定用データがデータ「０５」である場合（以下、ケース２という。）
電源遮断時データをコード判定用データとして用意する（Ｓ２９）。すなわち、ＲＡＭ３３から電源遮断時データを読み出し、この読み出した電源遮断時データをコード判定用データとしてＲＡＭ３３に書き込む。換言すると、コード判定用データをデータ「０５」から電源遮断時データへと書き替える。このとき、ＲＡＭ３３に電源遮断時データとして記憶されていたデータはクリアする。
【００３６】
したがって、ケース２の場合、コード判定用データは、電源遮断時データがコード「Ｆ０」であるためコード「Ｆ０」となり、また、データ判定用データはデータ「０５」、コマンド履歴データはデータ「０５」となる（図８、１９参照）。
【００３７】
その後、ステップＳ３２へ移行する。
【００３８】
▲２▼コード判定用データ及びデータ判定用データがデータ「０５」でない場合コード判定用データ及びデータ判定用データがコードか否かを判定する（Ｓ３０）。すなわち、ＲＡＭ３３からコード判定用データ及びデータ判定用データを読み出し、これらの読み出したコード判定用データ及びデータ判定用データが共にコード「Ｆ０」かどうかを判定する。
【００３９】
i)コード判定用データ及びデータ判定用データがコード「Ｆ０」である場合（以下、ケース３という。）
電源遮断時データをデータ判定用データとして用意する（Ｓ３１）。すなわち、ＲＡＭ３３から電源遮断時データを読み出し、この読み出した電源遮断時データをデータ判定用データとしてＲＡＭ３３に書き込む。換言すると、データ判定用データをコード「Ｆ０」から電源遮断時データへと書き替える。このとき、ＲＡＭ３３に電源遮断時データとして記憶されていたデータはクリアする。
【００４０】
したがって、ケース３の場合、コード判定用データはコード「Ｆ０」となり、また、データ判定用データは、電源遮断時データがデータ「０５」であるためデータ「０５」となり、また、コマンド履歴データは「Ｆ０」となる（図１３、２１参照）。
【００４１】
その後、ステップＳ３２へ移行する。
【００４２】
ii) コード判定用データ及びデータ判定用データがコード「Ｆ０」でない場合（以下、ケース４という。）
ケース４は、データ判定用データが特殊コマンド「００」でなく、しかも、コード判定用データ及びデータ判定用データがデータ「０５」とコード「Ｆ０」との組合せである場合に相当する（図６、１０、１１、１５、１６、１７、２２参照）。
【００４３】
ケース４の場合、上述したようなコード判定用データ等の書き替えを一切行うことなくステップＳ３２へ移行する。
【００４４】
ステップＳ３２においては、コード判定用データ及びデータ判定用データが賞球払出コマンドか否かを判定する。すなわち、コード判定用データは賞球払出コマンド「Ｆ００５」のコード「Ｆ０」であり、かつ、データ判定用データは賞球払出コマンド「Ｆ００５」のデータ「０５」であるかどうかを判定する。
【００４５】
コード判定用データがコード「Ｆ０」であり、かつ、データ判定用データがデータ「０５」である場合、データ判定用データ「０５」を獲得遊技球数として加算してＲＡＭ３３に記憶し（Ｓ３３）、今回のコマンド受信処理を終了する。
【００４６】
一方、コード判定用データがデータ「０５」であり、かつ、データ判定用データがコード「Ｆ０」である場合、今回のコマンド受信処理を終了する。
【００４７】
なお、上述した処理説明において参照した図６は、正常な受信時のタイミングチャートを示している。また、図７は、図６図示区間Ａつまり主基板２００がコード「Ｆ０」を出力してから割込要求信号を出力する前に電源が遮断した場合のタイミングチャート、図８は、図６図示区間Ｂつまり主基板２００が割込要求信号を出力してから賞球制御基板３００がコマンド受信処理を開始する前に電源が遮断した場合のタイミングチャート、図９は、図６図示区間Ｃつまり賞球制御基板３００がコマンド受信処理を開始してからコード「Ｆ０」を受信する前に電源が遮断した場合のタイミングチャート、図１０は、図６図示区間Ｄつまり賞球制御基板３００がコード「Ｆ０」を受信してからコマンド受信処理を終了するまでの間に電源が遮断した場合のタイミングチャート、図１１は、図６図示区間Ｅつまり賞球制御基板３００がコマンド受信処理を終了してから主基板２００がデータ「０５」を出力する前に電源が遮断した場合のタイミングチャート、図１２は、図６図示区間Ｆつまり主基板２００がデータ「０５」を出力してから割込要求信号を出力する前に電源が遮断した場合のタイミングチャート、図１３は、図６図示区間Ｇつまり主基板２００が割込要求信号を出力してから賞球制御基板３００がコマンド受信処理を開始する前に電源が遮断した場合のタイミングチャート、図１４は、図６図示区間Ｈつまり賞球制御基板３００がコマンド受信処理を開始してからデータ「０５」を受信する前に電源が遮断した場合のタイミングチャート、図１５は、図６図示区間Ｉつまり賞球制御基板３００がデータ「０５」を受信してからコマンド受信処理を終了する前に電源が遮断した場合のタイミングチャート、図１６は、図６図示区間Ｊつまり賞球制御基板３００がコマンド受信処理を終了してから主基板２００がコード「Ｆ０」を出力する前に電源が遮断した場合のタイミングチャートを示している。
【００４８】
また、図１７〜図２２は、受信データとコマンド履歴データとコード判定用データとデータ判定用データと電源遮断時データとの関係を分かり易く説明するための説明図であり、図１７は、図６、１０、１１に対応し、図１８は、図７、９に対応し、図１９は、図８に対応し、図２０は、図１２、１４に対応し、図２１は、図１３に対応し、図２２は、図１５、１６に対応している。
【００４９】
以上説明したように、本実施形態に係る賞球払出制御装置は、入賞時に賞球制御基板３００に対し賞球払出コマンドを出力している状態で割込要求信号を出力する主基板２００と、割込要求信号に基づいて賞球払出コマンドの受信処理を実行し、受信した賞球払出コマンドに基づいて賞球の払出の許否及び払出個数を決定する賞球制御基板３００とを備える賞球払出制御装置において、賞球制御基板３００は、電源遮断時に主基板２００から出力されている賞球払出コマンドを電源遮断時データとして記憶し、電源復旧後の受信処理において、電源遮断時データを用いて、本来受信すべき賞球払出コマンドを作成するよう構成される。
【００５０】
このため、賞球制御基板３００は、電源復旧後の最初の受信処理において、正常な受信時と同様な受信状態に修復されることとなり、賞球の払出を確実に行うことができるようになる。
【００５１】
また、本実施形態に係る賞球払出制御装置は、入賞時に賞球制御基板３００に対し賞球払出コマンドをコードとデータとに分けて出力する賞球払出コマンド出力手段と、賞球制御基板３００に対しコード出力中及びデータ出力中に各々割込要求信号を出力する割込要求信号出力手段と、電源投入時に賞球制御基板３００に対し特殊コマンドを出力する特殊コマンド出力手段とを備える主基板２００と、各々の割込要求信号に基づいてコード又はデータ又は特殊コマンドを受信する受信手段（Ｓ２１）と、受信手段により受信した受信データをコマンド履歴データとして記憶するコマンド履歴データ記憶手段（Ｓ２３）と、受信手段により受信した受信データをデータ判定用データとして記憶するデータ判定用データ記憶手段（Ｓ２４）と、前回の割込要求信号に基づきコマンド履歴データ記憶手段により記憶されたコマンド履歴データをコード判定用データとして記憶するコード判定用データ記憶手段（Ｓ２２）と、コード判定用データが賞球払出コマンドのコードでありかつデータ判定用データが賞球払出コマンドのデータであるとき、賞球払出装置５００に対し、データによって指定される払出個数分の賞球の払出を指示する払出指示手段（図３）とを備える賞球制御基板３００とを備える賞球払出制御装置において、賞球制御基板３００に、電源遮断時に主基板２００から出力されているコード又はデータを電源遮断時データとして記憶する電源遮断時データ記憶手段（Ｓ１１）と、電源復旧後の最初の割込要求信号に基づく受信データが特殊コマンドであるとき、コマンド履歴データ記憶手段により記憶されたコマンド履歴データを電源遮断時データに書き替えるコマンド履歴データ書替手段（Ｓ２７）と、電源復旧後の最初の割込要求信号に基づく受信データが特殊コマンドであるとき、データ判定用データ記憶手段により記憶されたデータ判定用データを電源遮断時データに書き替える第１のデータ判定用データ書替手段（Ｓ２６）と、電源復旧後の最初の割込要求信号に基づく受信データが賞球払出コマンドのコードであり、かつコマンド履歴データがコードであるとき、データ判定用データ記憶手段により記憶されたデータ判定用データを電源遮断時データに書き替える第２のデータ判定用データ書替手段（Ｓ３１）と、電源復旧後の最初の割込要求信号に基づく受信データが賞球払出コマンドのデータであり、かつコマンド履歴データがデータであるとき、コード判定用データ記憶手段により記憶されたコード判定用データを電源遮断時データに書き替えるコード判定用データ書替手段（Ｓ２９）とを設けることを特徴とする。
【００５２】
このため、賞球制御基板３００は電源遮断前の受信状態に完全に復帰することができ、賞球の払出を確実に行うことができるようになる。
【００５３】
【発明の効果】
本発明によると、主基板に負担をかけないで、電源遮断があったときでも賞球の払出を確実に行うことができるようになる。
【図面の簡単な説明】
【図１】本発明のクレーム対応図である。
【図２】本発明の一実施形態に係る賞球払出制御装置のブロック図である。
【図３】賞球払出制御装置の賞球制御基板が実行する主制御処理の内容を示すフローチャートである。
【図４】同じく賞球制御基板が実行する電源遮断処理の内容を示すフローチャートである。
【図５】同じく賞球制御基板が実行するコマンド受信処理の内容を示すフローチャートである。
【図６】正常な受信時のタイミングチャートである。
【図７】図６図示区間Ａに電源が遮断した場合のタイミングチャートである。
【図８】図６図示区間Ｂに電源が遮断した場合のタイミングチャートである。
【図９】図６図示区間Ｃに電源が遮断した場合のタイミングチャートである。
【図１０】図６図示区間Ｄに電源が遮断した場合のタイミングチャートである。
【図１１】図６図示区間Ｅに電源が遮断した場合のタイミングチャートである。
【図１２】図６図示区間Ｆに電源が遮断した場合のタイミングチャートである。
【図１３】図６図示区間Ｇに電源が遮断した場合のタイミングチャートである。
【図１４】図６図示区間Ｈに電源が遮断した場合のタイミングチャートである。
【図１５】図６図示区間Ｉに電源が遮断した場合のタイミングチャートである。
【図１６】図６図示区間Ｊに電源が遮断した場合のタイミングチャートである。
【図１７】図６、１０、１１に対応する説明図である。
【図１８】図７、９に対応する説明図である。
【図１９】図８に対応する説明図である。
【図２０】図１２、１４に対応する説明図である。
【図２１】図１３に対応する説明図である。
【図２２】図１５、１６に対応する説明図である。
【符号の説明】
２００    主基板
２０１    賞球払出コマンド出力手段
２０２    割込要求信号出力手段
２０３    特殊コマンド出力手段
３００    賞球制御基板
３０１、Ｓ２１    受信手段
３０２、Ｓ２３    コマンド履歴データ記憶手段
３０３、Ｓ２４    データ判定用データ記憶手段
３０４、Ｓ２２    コード判定用データ記憶手段
３０５、図３    払出指示手段
３０６、Ｓ１１    電源遮断時データ記憶手段
３０７、Ｓ２７    コマンド履歴データ書替手段
３０８、Ｓ２６    第１のデータ判定用データ書替手段
３０９、Ｓ３１    第２のデータ判定用データ書替手段
３１０、Ｓ２９    コード判定用データ書替手段
【図１】
0003747402.tif 000003
【図２】
0003747402.tif 000004
【図３】
0003747402.tif 000005
【図４】
0003747402.tif 000006
【図５】
0003747402.tif 000007
【図６】
0003747402.tif 000008
【図７】
0003747402.tif 000009
【図８】
0003747402.tif 000010
【図９】
0003747402.tif 000011
【図１０】
0003747402.tif 000012
【図１１】
0003747402.tif 000013
【図１２】
0003747402.tif 000014
【図１３】
0003747402.tif 000015
【図１４】
0003747402.tif 000016
【図１５】
0003747402.tif 000017
【図１６】
0003747402.tif 000018
【図１７】
0003747402.tif 000019
【図１８】
0003747402.tif 000020
【図１９】
0003747402.tif 000021
【図２０】
0003747402.tif 000022
【図２１】
0003747402.tif 000023
【図２２】
0003747402.tif 000024